(57)【特許請求の範囲】
【請求項１】
体液吸収能を有する陰唇間パッドであって、
それぞれが体液吸収能を有する第１シート体と、第２シート体と、からなり、
前記第１シート体は、装着状態において身体に当接する表面シートと、その反対の面である裏面シートと、該表面シートと裏面シートとの間に配置された吸収体と、を備え縦長形状をなすものであり、
前記第２シート体は、前記第１シート体の長手方向の一端側に位置する膣口に当接する体液排出口当接領域に配置され、
前記第２シート体の短手方向の長さは、前記第１シート体の短手方向の長さと等しく構成されると共に、該第２シート体の側端部は、前記第１シート体の側端部の近傍に固定され、かつ、該第２シート体は、該側端部を除く領域においては前記第１シート体に固定されていない陰唇間パッド。
【発明の詳細な説明】
【技術分野】
【０００１】
本発明は、女性の陰唇間に装着される陰唇間パッドに関する。さらに詳しくは、体液漏れ防止効果の高い快適な着用感を有する構成の陰唇間パッドに関する。
【背景技術】
【０００２】
従来から、女性用生理用品として、女性の陰唇に挟み込んで使用される陰唇間パッドが知られている（特許文献１参照）。この陰唇間パッドは、陰唇間にその一部を挟み込むことによって装着されるため、生理用ナプキンに比べて身体との密着性が高く、経血などの漏れが生じにくい。また、膣内に挿入されるタンポンに比べ、装着時の心理抵抗が低いという利点を有する。一方で、陰唇間パッドは、装着状態において、着用者の膣口から流出する体液を直接吸収するものであるが、生理用ナプキンよりも大きさが小さいため、大きさを変えることなく体液漏れを防ぐということが重要な課題となっている。そのため、体液漏れを生じさせにくい陰唇間パッドが検討されてきた（特許文献２参照）。【０００３】
特許文献１に記載の陰唇間パッドは、被覆体の陰唇と接する面と反対側の面の長手方向略中央部に突出部が設けられた略楕円形状のものである。このため着用者は、突出部をつまんで陰唇内に密着させることが可能となっている。また、特許文献２に記載の陰唇間パッドは、吸収体の上に更に長手方向の側部に沿って体液貯蔵用の吸収層を設けたものである。この体液貯蔵層によって陰唇と陰唇間パッドの隙間から体液が漏れることを防ぐことが可能となっている。
【特許文献１】特表平１１−５００３４１号公報
【特許文献２】特表２００２−５３４１６２号公報
【発明の開示】
【発明が解決しようとする課題】
【０００４】
しかし、特許文献１及び特許文献２に記載の陰唇間パッドは、いずれも体液の排出状態を考慮したものではないため、体液の漏れが生じるおそれがある。【０００５】
本発明は、以上の課題に鑑みてなされたものであり、その目的は、体液の排出状態に適した漏れ防止効果の高い陰唇間パッドを提供することである。
【課題を解決するための手段】
【０００６】
以上のような目的を達成するために、本発明は、陰唇間パッドの体液が流出する箇所と当接する部分において、体液吸収能及び体液保持能を高めることにより、体液を広く滲ませることがないことを特徴とするものである。【０００７】
本発明は具体的に以下のようなものを提供する。【０００８】
（１）  体液吸収能を有する陰唇間パッドであって、前記陰唇間パッドは陰唇間に一部又は全部が挟み込まれて装着され、装着状態において、膣口及び／又は尿道口に当接する体液排出口当接領域を備えるものであり、少なくとも前記体液排出口当接領域には、排出された体液を即座に吸収する体液吸収能及び吸収した体液を保持する体液保持能が高められた高吸収保持領域を有する陰唇間パッド。【０００９】
（１）の発明によれば、体液が排出される箇所やその周辺部分に、体液吸収能及び体液保持能が高い、高吸収保持領域を備えることによって、次々に排出される体液を直接、かつ、速やかに吸収することが可能となる。そのため、従来の陰唇間パッドのように体液を吸収して飽和状態（オーバーフロー）になり、体液が着用者の陰裂間や陰唇間パッドの表面を流れてしまうという事態を防ぐことができる。また、従来の陰唇間パッドでは生理用ナプキンと異なり、全体に体液（経血）が拡がってしまった場合には、陰唇間パッドを取り外す際に、体液が手に付いてしまい衛生的とはいえない。この点、本発明では、膣口等に接触しやすくなっているため、排出された体液を即座に集中的に吸収して、保持することが可能であり、上述のような事態を回避することができる。【００１０】
ここで、「体液排出口当接領域」とは膣口及び／又は尿道口と当接する部分及びこれらの周辺部分であり、膣口又は尿道口のどちらか単独又は両方、若しくは少なくとも膣口又は尿道口のどちらか一方とその周辺部分のいずれもが含まれる領域である。例えば、膣口及びその周辺領域に高吸収保持領域を設けた場合には、生理用又はおりもの吸収用とすることができる。【００１１】
なお、いかなる形状の陰唇間パッドであっても、体液が排出される領域に高吸収保持領域を有するものであれば、本発明に含まれることとなる。【００１２】
（２）  前記陰唇間パッドは、体液を吸収して保持する吸収体を有するものであり、前記高吸収保持領域は、前記吸収体が積層されているものである（１）に記載の陰唇間パッド。【００１３】
（２）の発明によれば、高吸収保持領域を吸収体が２つ以上積層されたものとすることによって、吸収体の目付け及び密度が高くなり、体液の吸収能及び保持能をより高めることが可能となる。また、吸収体を複数積層させることによって、高吸収保持領域の厚みのみを増すことができるものであるため、装着状態において着用者の膣口や尿道口にポイント的に当接させることが可能となる。【００１４】
（３）  前記陰唇間パッドは、それぞれが体液吸収能を有する第１シート体と、第２シート体と、からなり、前記第１シート体は、装着状態において身体に当接する表面シートと、その反対側の面である裏面シートと、を備え、長手方向と短手方向とを有する実質的に縦長形状をなすものであり、前記高吸収保持領域には前記表面シート又は前記裏面シートに前記第２シート体を備えるものである（１）に記載の陰唇間パッド。【００１５】
第１、第２のシート体は、それぞれが例えば表面シートと、裏面シートと、を備え、表面シートと裏面シートとの間に吸収体を備えていてもよい。本発明においては、高吸収保持領域においてシート体が二重となっているため、高吸収保持領域のヌレ性やクレム吸水性は、他の領域と比べて高くなる。また、高吸収保持領域において、例えば、第２シート体は第１シート体の上に設けられている場合には、第２シート体の一部が第１シート体に固定されていてもよい。この場合、第２シート体は、吸収した体液を第１シート体へ透過させる液透過能を有していることが好ましい。第１シート体は、体液を吸収することが可能な体液吸収能を有しており、さらに、吸収した体液が下方へ実質的に漏れ出さないために、第１シートの裏面シートは液難透過能を有していることが好ましい。また、第２シート体と第１シート体との間に自分の指を入れて装着することが可能なものとしてもよい。【００１６】
また、第２シート体は第１シート体の下に設けられている場合においても、少なくとも第２シート体の一部が第１シート体に固定されていてもよい。この場合、第２シート体が位置する第１シート体の部分は、吸収した体液を第２シート体へ透過させる液透過能を有していることが好ましい。第２シート体が位置しない第１シート体の部分は、吸収した体液が下方へ実質的に漏れ出さすことを防ぐために、当該部分の裏面シートが液難透過能を有していることが好ましい。【００１７】
第２シート体は、第１シート体から透過された体液、もしくはそれ以外からの体液を吸収することが可能な体液吸収能を有していることが好ましい。さらに、吸収した体液が下方へ実質的に漏れ出さないために、裏面シートが液難透過能を有していることが好ましい。また、また、第２シート体と第１シート体との間に自分の指を入れて装着することが可能なものとしてもよい。【００１８】
（４）  陰唇間に一部又は全部を挟み込んで装着され、体液を吸収する陰唇間パッドの調整方法であって、装着状態において、体液吸収能及び体液保持能が高い高吸収保持領域を備え、前記高吸収保持領域の位置及び吸収能を調整して、おりもの吸収用又は尿失禁用のものとする方法。【００１９】
（４）の発明によれば、高吸収保持領域の位置及び吸収能を調整することによって、陰唇間パッドを、膣口から排出される経血以外にもおりもの吸収用や、尿道口から排出される尿を吸収するための尿失禁用とすることができる。
【発明の効果】
【００２０】
以上説明したように本発明は、陰唇間パッドの体液が流出する箇所と当接する部分において、体液吸収能及び体液保持能を高めることによって、体液を吸収し、保持することが可能となる。これによって、陰裂間や陰唇間パッド表面を体液が流れることを低減できるため、体液漏れが生じたり、取り外しの際に手を汚したりしてしまうという事態を防ぐことができる。
【図面の簡単な説明】
【００２１】
【図１】本発明の第１実施形態における陰唇間パッドを示した正面斜視図である。
【図２】本発明の第１実施形態における陰唇間パッドの装着状態を示した断面図である。
【図３】本発明の第１実施形態における陰唇間パッドを示した断面図である。
【図４】本発明の第１実施形態における陰唇間パッドを示した断面図である。
【図５】本発明の第２実施形態における陰唇間パッドを示した断面図である。
【図６Ａ】本発明の第２実施形態の変更例における陰唇間パッドを示した正面斜視図である。
【図６Ｂ】前記変更例における陰唇間パッドを示した断面図である。
【図６Ｃ】前記変更例における陰唇間パッドを示した断面図である。
【図７】本発明の第３実施形態における陰唇間パッドを示した断面図である。
【図８】本発明の第４実施形態における陰唇間パッドを示した正面図である。
【符号の説明】
【００２２】
１２                  陰唇
１４                  膣口
１６                  尿道口
１８                  陰核
１９                  前庭床
２０、２０Ａ〜Ｄ      陰唇間パッド
２２、２２Ａ、２２Ｂ  吸収体
２３                  第２吸収体
２４                  シート体
２４Ａ                表面シート
２４Ｂ                裏面シート
２６Ａ〜Ｃ            第１シート体
２７Ａ〜Ｃ            第２シート体
２８                  ミニシート
３０、３０Ａ〜Ｄ      高吸収保持領域
３２                  側端部
３４                  スリット
【発明を実施するための形態】
【００２３】
以下、本発明をより詳しく説明する。なお、以下の実施形態の説明にあたって、同一構成要件については同一符号を付し、その説明を省略若しくは簡略化する。
【００２４】
実施形態における陰唇間パッドは、２０代から５０代の女性の平均値を参考に作成している。具体的には、ＢＭＩ値２１（＝体重ｋｇ／（身長ｍ）２）、直立状態の股内間隔３５ｃｍ、陰唇前方交連６０ｍｍ、陰核３８ｍｍ、膣口３４ｍｍ、肛門５０ｍｍである。これらの値は、身体の長手方向における各部位（陰核前方交連、陰核等）で水平線を引き、水平線と交わる鼠径部の一番深い地点同士の延べ距離を測定した。
【００２５】
［第１実施形態］
＜全体構造＞
始めに、本発明の陰唇間パッドの基本的な全体構造について説明する。
【００２６】
本実施形態における陰唇間パッド（以下、パッドとする）２０は、図１に示すように、縦長の形状であり、真上から見るとＹ軸を長径とし、Ｘ軸を短径とする（中央がくびれた）略瓢箪形状をしている。そしてパッド２０の一部には、高吸収保持領域３０が設けられている。なお、パッド２０の形状は楕円型、瓢箪型、雫型等女性の陰唇に適合する形状であれば特に限定されない。さらに本実施形態におけるパッド２０は、長手方向中央線を折り曲げ軸として２つに折り曲げて使用するタイプのものであるが、この形状に限定されない。パッド２０の外形の延べ寸法は、長手方向５０〜１８０ｍｍが好ましく、８０〜１２０ｍｍがより好ましい。また、短手方向は、３０〜１００ｍｍが好ましく、５０〜８０ｍｍであることがより好ましい。
【００２７】
図２は、パッド２０を装着した状態を示した断面図である。パッド２０は、着用者の陰唇１２に挟まれており、パッド２０の高吸収保持領域３０は膣口１４と当接している。このため、膣口１４から排出された経血を集中的に吸収することができる。この高吸収保持領域３０の長手方向の寸法は、特に限定されないが、刺激に対して敏感な陰核１８を含む前庭床１９の前側には設けられないことが好ましい。
【００２８】
図３は、図１に記載のパッド２０のＡ−Ａ´断面を示した断面図である。パッド２０は、吸収体２２とこの吸収体２２を被覆するシート体２４を備えている。それぞれの部材は、糊やシールで固定されている。なお、シート体２４の着用者の陰唇に当接する部分（以下、表面シート２４Ａとする）は体液を透過する液透過性であることが好ましく、着用者の陰唇に当接しない部分（以下、裏面シート２４Ｂとする）は体液を透過しない液難透過性であることが好ましい。
【００２９】
このような液難透過性材料としては、樹脂と無機フィラーとの混合物に延伸処理を施すことにより得られる通気フィルム、１０〜３０％の開孔を有し孔径が０．１〜０．６ｍｍの範囲で毛細管を吸収体２２に向かうように配置することにより得られる通気性液遮断シート、等を使用することが好ましい。厚さ１５〜６０μｍのポリエチレン、ポリプロピレン、ポリエチレンテレフタレート、ポリビニルアルコール、ポリ乳酸、ポリブチルサクシネート、又は不織布、紙、及びこれらのラミネート材料が挙げられる。具体的には、低密度ポリエチレン（ＬＤＰＥ）樹脂を主体として、１０〜３０％の開孔を有し、孔径が０．１〜０．６ｍｍ、目付１５〜３５ｇ／ｍ２の範囲で調整したフィルムが挙げられる。不織布の例としては、スパンボンド不織布や、ポイントボンド不織布、スルーエアー不織布等が挙げられ、これらに撥水処理が施されてあってもよい。なかでも極細繊維で構成され、繊維間距離が非常に小さいメルトブローンを含むスパンボンド／メルトブローン／スパンボンドの３層構成（ＳＭＳ）不織布であることが好ましい。この場合、それぞれの層の目付は、５〜１５ｇ／ｍ２、１〜１０ｇ／ｍ２、５〜１０ｇ／ｍ２の範囲で構成されることが好ましい。
【００３０】
図４は、図１に記載のパッド２０のＢ−Ｂ´断面、即ち、高吸収保持領域３０の断面を示した断面図である。この高吸収保持領域３０は、吸収体２２と、吸収体２２の上に重ねられた第２吸収体２３からなる。第２吸収体２３の寸法は特に限定されないが、その長手方向は、５〜１８０ｍｍであり、特に１０〜１００ｍｍであることが好ましく、短手方向は、５〜１００ｍｍであり、特に１０〜８０ｍｍであることが好ましく、厚さは０．２〜１０ｍｍ、特に１〜５ｍｍであるであることが好ましい。この時、第２吸収体２３が陰裂により進入しやすいように、断面形状はシャープな凸形状であることが好ましい。断面形状がシャープであるとは、第２吸収体２３の見かけ高さが見かけの短手寸法よりも高いことである。ここで、見かけ寸法とは、両端部同士を直線で結んだときの最短距離寸法をいう。
【００３１】
また、第２吸収体２３は、シート体２４からの経血漏れを考慮するとシート体２４の裏面シート２４Ｂよりも小さいほうが好ましい。そのときの第２吸収体２３の延べ寸法は、長手方向が１０〜５０ｍｍの範囲であり、短手方向が１０〜５０ｍｍの範囲であること好ましい。また、見かけの高さは３〜３０ｍｍの範囲であり、１〜２０ｍｍの範囲であることが好ましい。なお、本実施形態においては吸収体は２枚用いているが、吸収体の積層パターンを変化させて１枚で用いてもよいが２枚以上用いて重ねても良い。また、第２吸収体２３の平面形状は四角、三角、楕円、逆三角、雫型など特に制限されない。中でも、後方へ延びるほど短手寸法が狭まる雫型などは、陰唇形状に添いやすいため好ましい。
【００３２】
＜吸収体＞
次に、図３及び図４に示す吸収体２２及び第２吸収体２３の具体的な構成を示す。
【００３３】
吸収体２２及び第２吸収体２３は、パルプ、化学パルプ、レーヨン、アセテート、天然コットン、高分子吸収体、繊維状高分子吸収体、合成繊維等を単独又はこれらを混合したものからなり、嵩高であり、型崩れし難く、化学的刺激が少ないものであることが好ましい。具体的には、繊度１．１〜６．６ｄｔｅｘの範囲から選ばれるレーヨン又はアセテートレーヨンを９５〜６０％の混合比で積層した繊維を、エンボス加工によりシート化した目付５０〜５００ｇ／ｍ２、１〜２０ｍｍの嵩を有する不織布シートが挙げられる。吸収体２２及び第２吸収体２３の製法に関しては、エアレイド法、メルトブローン法、スパンレース法、抄紙法等によりシート化されたものを、ニードリングやドット状、格子状などのロール間を通過させエンボス加工を施しても良い。なお、エンボス面積率は、０．３〜６０％の範囲であることが好ましい。
【００３４】
＜シート体＞
次に、シート体２４の具体的な構成を示す。なお、シート体２４は、表面シート２４Ａ及び裏面シート２４Ｂからなるものである。
【００３５】
表面シート２４Ａは、透水性であり、かつ、液親水性であり肌に刺激を与えない素材が使用される。このようなものとしては、ポイントボンド、エアースルー等の製造方法から得られる不織布を単独で用いた材料又はこれらを複合した材料が挙げられる。このような材料のうち、着用者が陰唇間パッドと陰唇内壁との間にずれが生じ異物感を感じることがないよう、陰唇内壁との親和性を考慮し、少なくともセルロース系の液親水性繊維を主体とした構成が好ましい。具体的には、天然コットン５〜３０％、レーヨン又はアセテートを７０〜９５％の比率で混合した繊維を、目付け２０〜５０ｇ／ｍ２の範囲で調整した後、水流交絡により繊維同士を絡合させて乾燥させ、厚みを０．３〜１．０ｍｍの範囲で調整したスパンレース不織布が好ましい。この際に使用する糸質は、天然コットンであれば繊維長が２５〜５１ｍｍの範囲、レーヨン又はアセテートであれば繊維長１５〜６０ｍｍの範囲で、繊度１．１〜６．６ｄｔｅｘの範囲から選ばれる。また、透過孔を有するフィルムや、繊維層にフィルムがラミネート加工されて、透過孔を有するものであってもよい。
【００３６】
表面シート２４Ａの体液排出口と当接する領域（以下、体液排泄口当接領域とする）においては、体液の透過性が高いことが好ましい。透過性を高めるためには、繊維間距離を大きくすることで密度を小さくしている、透過孔を設ける、などが例として挙げられる。
【００３７】
具体的な開孔フィルムの例としては、体液排泄口当接領域の開孔径は０．２〜５ｍｍ、ピッチは０．２〜１０ｍｍ、開孔面積率は１０〜５０％の範囲であり、その周辺領域の開孔径は０．０５〜３ｍｍ、ピッチは０．２〜１０ｍｍ、開孔面積率は３〜３０％の範囲であることが好ましい。製法としては、予め開孔条件を変化させたパターンドラムにフィルムを通紙し、サクション吸引することで開孔するいわゆるＰＦＷや、均一な開孔条件を有するＰＦＷで形成した前庭床当接領域にピンエンボス加工によって開孔をさらに付加したものであってもよい。開孔の配列は千鳥状、格子状、波状など特に限定しない。また、開孔の形状については、丸型、楕円型、四角型などが挙げられる。また、前記開孔部の周辺に弁が形成されていても良い。その中でも、外圧が加わっても開孔が弁で塞がりにくくするために、特に体液排泄口当接領域の開孔部の弁の高さは、他の周辺領域の弁の高さよりも低い方が好ましい。
【００３８】
裏面シート２４Ｂは、吸収体に保持された経血が陰唇間パッドの外へ漏れ出すことを防止できるように液難透過性を有するものを使用することができる。また、透湿性素材とすることにより、装着時のムレを低減させることができ、装着時における不快感を低減させることが可能となる。このような液難透過性材料としては、厚さ１５〜６０μｍのポリエチレン、ポリプロピレン、ポリエチレンテレフタレート、ポリビニルアルコール、ポリ乳酸、ポリブチルサクシネート、又は不織布、紙、及びこれらのラミネート材料が挙げられる。また、無機フィラーを充填させて延伸処理を施すことで得られる通気性フィルムであっても良い。具体的には、低密度ポリエチレン（ＬＤＰＥ）樹脂を主体として、１０〜３０％の開孔を有し、孔径が０．１〜０．６ｍｍ、目付１５〜３５ｇ／ｍ２の範囲で調整したフィルムが挙げられる。不織布の例としては、スパンボンド不織布や、ポイントボンド不織布、スルーエアー不織布等が挙げられ、これらに撥水処理が施されてあってもよい。なかでも極細繊維で構成され、繊維間距離が非常に小さいメルトブローンを含むＳＭＳ不織布であることが好ましい。この場合、目付は、５〜１５ｇ／ｍ２、１〜１０ｇ／ｍ２、５〜１０ｇ／ｍ２の範囲で構成されることが好ましい。
【００３９】
なお、裏面シート２４Ｂには、ミニシート２８を取り付けて装着の際に着用者がミニシート２８と裏面シート２４Ｂとの間に指を入れて装着しやすいようにしてもよい。
【００４０】
＜ミニシート＞
ミニシート２８には、上述した表面シート２４Ａや裏面シート２４Ｂと同様の材料を用いることもできるが、短手方向に対して伸長性もしくは伸縮性を有する素材を使用することが好ましい。このような材料をミニシート２８に使用することにより、着用者の指の太さに応じてミニシート２８が短手方向に伸びることができる。以下に伸長性もしくは伸縮性を有する素材の一例を挙げるが、これらに限定されることはない。
【００４１】
伸縮性を有する素材としては、スチレン−ブタジエン−スチレンブロック共重合体（ＳＢＳ）、スチレン−イソプレン−スチレンブロック−共重合体（ＳＩＳ）、ウレタン等の合成ゴム、非晶性オレフィン系樹脂を原料としたフィルム、開孔フォームフィルム等が挙げられる。また、不織布としては、芯成分が高融点で鞘成分が低融点成分で構成された熱収縮性を有するポリエチレン（ＰＥ）／ポリプロピレン（ＰＰ）、ＰＥ／ポリエチレンテレフタレート（ＰＥＴ）、ＰＰ／ＰＰ等の複合合成繊維を原材料とし、水流交絡させたスパンレース不織布、熱収縮を促進させたシュリンクタイプ不織布等が挙げられる。また、伸長性を付与する他の方法としては、切れ目線、円状に切り抜く等の方法も使用できる。
【００４２】
吸収体２２、第２吸収体２３及びシート体２４、ミニシート２８は、粘着剤を用いて接着してもよい。
【００４３】
＜粘着剤＞
粘着剤としては、水性高分子、架橋剤、可塑剤、水分から成るゲル粘着剤等、多種多様な接着剤が挙げられるが、塗布安定性を考慮すると、感圧型ホットメルト粘着剤を用いることがより好ましい。塗布安定性が高い感圧型ホットメルト粘着剤としては、スチレン−エチレン・ブタジエン−スチレンブロック共重合体（ＳＥＢＳ）を１５〜２５質量％、可塑剤を１５〜３５質量％、粘着付与剤を４０〜７０質量％で溶融混合したものが挙げられる。この感圧型ホットメルト粘着剤については、酸化防止剤、蛍光防止剤などを０．１〜１．０質量％の範囲で添加してもよい。
【００４４】
［第２実施形態］
本実施形態に係る陰唇間パッド２０Ａは、高吸収保持領域３０Ａでシート体が二重となっているものである。
【００４５】
高吸収保持領域３０Ａは、それぞれが体液吸収能を有する第１シート体２６Ａと、第２シート体２７Ａと、からなるものである。第１シート体２６Ａは、吸収体２２Ａを含み第１実施形態のシート体２４と同様の素材から構成されることが好ましい。第２シート体２７Ａは、体液を吸収保持する吸収体とそれを包装するシートとの複合体からなる場合と、身体から一旦体液を奪い取りそれを第１シート体２６Ａへ容易に透過できる液透過性の材料のみからなる場合がある。前者の吸収体を包装するシートは液透過性の材料のみからなってもよく、裏面が液難透過性材料で作られたシートであっても良い。後者の場合は、第２シート体は非常に柔軟性が高いため、陰唇との追従性や密着性が極めて高くなる。
【００４６】
図５は、本実施形態に係るパッド２０Ａの高吸収保持領域３０Ａの断面を示したものである。第２シート体２７Ａは、第１シート体２６Ａの、身体に接する面の上に、設けられている。第２シート体２７Ａの短手方向の寸法は、第１シート体２６Ａの短手方向の寸法と同一であっても良いが、第１シート体２６Ａからの経血漏れを考慮すると第１シート体の裏面シートよりも小さい方が好ましい。なお、第２シート体２７Ａは、第１シート体２６Ａと当接する面の一部が固定されていればよく、例えば側端部３２が第１シート体２６Ａに固定されていればよい。これによって第２シート体２７Ａが着用者の陰唇の動きに追従することが容易になる。
【００４７】
また、本実施形態の変形例として、第１シート体２６Ａと第２シート体２７Ａとの位置が逆である例が挙げられる。図６Ａ〜６Ｃは、第２実施形態の変形例に係る陰唇間パッド２０Ｂを示す。これらの図では、第１シート体２６Ｂと第２シート体２７Ｂの位置を的確に把握できるように上下を装着時と逆にして記載してある。図６Ａに示すように、第２シート体７Ｂが第１シート体２６Ｂの下に設けられている場合、第２シート体２７Ｂが積層されている第１シート体２６Ｂの部分は、吸収した体液を第２シート体２７Ｂへ透過する液透過能を有していることが好ましく、具体的には、第１実施形態の表面シート２４Ａや、裏面シート２４Ｂに関して述べた通りである。なお、図中鉛直方向（Ｈ軸方向）が、着用者の身体に接する身体面側である。
【００４８】
一方、第２シート体２７Ｂが積層されていない第１シート体２６Ｂの部分は、吸収した体液が下方へ実質的に漏れ出さないために、裏面シートが液難透過性であることが好ましく、具体的には、第１実施形態の図１に示したものである。また別の例としては、厚みを０．３〜１．０ｍｍの範囲で調整したスパンレース不繊布からなり、吸収体の裏面全面を覆う裏面シートを備え、第２シート体２７Ｂが位置しない領域にはラミネート加工が施されているものが挙げられる。
【００４９】
パッド２０Ｂの高吸収能領域３０Ｂの断面（Ｃ−Ｃ´断面）は、図６Ｂに示すように第１シート体２６Ｂ及び第２シート体２７Ｂとからなる。第１シート体２６Ｂは、体液を吸収保持する吸収体２２Ｂと、それを包装するシートと、からなる。吸収体を包装するシートは、液透過性の材料のみからなってもよく、裏面が不透過性材料で作られたシートであっても良いが、第２シート体２７Ｂが設けられている第１シート体２６Ｂには、吸収した体液を第２シート体２７Ｂへ透過する液透過能を有していることが好ましい。また図６Ｃに示すように第２シート体２７Ｂが位置しない第１シート体２６Ｂには（Ｄ−Ｄ´断面）、吸収した体液が下方へ実質的に漏れ出さないために、裏面シートが液難透過能を有することが好ましい。
【００５０】
［第３実施形態］
本実施形態に係る陰唇間パッド２０Ｃは、第２シート体２７Ｃと第１シート体２６Ｃとの間に隙間が設けられたものである。
【００５１】
図７は、本実施形態に係るパッド２０Ｃの高吸収保持領域３０Ｃを２つに折り畳んだ時の断面を示したものである。第２シート体２７Ｃは、第１シート体２６Ｃの上に設けられているが、第２シート体２７Ｃの短手方向の寸法を、第２実施形態のものよりも長めにしてあるため、第１シート体２６Ｃとの間に隙間ができている。着用者は、この隙間に自分の指を入れてパッド２０Ｃを装着することも可能である。この場合、第２シート体２７Ｃは、伸縮性を有する素材又は伸縮性を有することが可能となる切れ目等が設けられていることが好ましい。
【００５２】
［第４実施形態］
本実施形態に係る陰唇間パッド２０Ｄは、高吸収保持領域３０Ｄにスリット３４が設けられたものである。
【００５３】
図８は、本実施形態に係るパッド２０Ｄの平面図を示した図である。高吸収保持領域３０Ｃにはスリット３４が設けられている。このため、スリット３４に到達した体液の毛細管現象による拡散が防止される。また、このスリット３４の形状は特に問わないが、長手方向と短手方向に入れることによって、パッド２０Ｄに可撓性を付加させることが可能となる。これによって、陰唇との追従性や密着性が向上する。なお、このスリット３４は、実施形態１〜３のパッドの高吸収保持領域に設けてもよい。
【００５４】
［第５実施形態］
本実施形態に係る陰唇間パッドは、その構成部材の素材が生分解性、水分散性及び水溶性を有するものである。
【００５５】
本発明の陰唇間パッドは、生分解性素材及び／又は水分散性素材及び／又は水溶性素材で構成されていることが好ましい。このような陰唇間パッドは、使用後そのままトイレに脱落させて流すことができる。なお、本実施形態に係るパッドの形状は、第１実施形態のパッド２０と同様のものを用い、図示を省略する。
【００５６】
また、「生分解性」とは、微生物の存在下、自然界のプロセスに従って分解されることをいい、「水分散性」とは、水解性と同じ意味であって、多量の水又は水流中では、繊維同士が小断片に容易に分散される性質のことをいう。「水溶性」とは、使用時の限定された量の水分（特に経血）では影響はないものの、多量の水又は水流中においては溶解する性質のことをいう。
【００５７】
＜表面シート＞
表面シートに使用できる材料としては、スパンレース不織布のほか、繊維長を１〜１５ｍｍの範囲から選択される湿式スパンレース不織布を使用することができる。他の材料としては、ポリ乳酸、ポリブチレンサクシネートなどの加水分解による生分解性樹脂も使用することができる。例えば、ポリ乳酸を原料として作られる目付が２０〜６０ｇ／ｍ２の範囲で調整されたメルトブローン不織布や目付が１５〜３０ｇ／ｍ２の範囲、繊維度が１．１〜３．３ｄｔｅｘの範囲で調整されたスパンボンド不織布が挙げられる。なお、各不織布材料には開孔処理を施しても施さなくてもよい。
【００５８】
＜吸収体及び第２吸収体＞
吸収体等に使用できる材料としては、ニードリングから得られる不織布シートを使用することができる。なお、高分子吸収材料の生分解性等を考慮すると、カルボキシメチルセルロース繊維を使用することが好ましい。
【００５９】
＜裏面シート＞
裏面シートに使用できる材料としては、ポリビニルアルコール（ＰＶＡ）フィルム、ＰＶＡフィルムの片面若しくは両面あるいは部分的にシリコーンなどにより撥水処理を施したフィルムシート、澱粉フィルム、ポリ乳酸又はポリブチレンサクシネート等の加水分解による生分解性樹脂を原料としたフィルム、及びティッシュ等とのラミネート紙を使用することができる。なお、必要に応じて無機顔料を０．１〜５％の範囲で混合して着色を施してもよい。
【００６０】
＜ミニシート＞
ミニシートに使用できる材料としては、ポリ乳酸、ポリブチレンサクシネート等の生分解性材料を原料としたフィルム、スパンボンド不織布、メルトブローン不織布等、又はＰＶＡ、ＣＭＣ等の水溶性材料を原料としたフィルム、不織布等、並びにセルロース繊維、再生セルロース繊維等を主体とした水分散性ティッシュ、スパンレース不織布等が挙げられる。
【００６１】
具体的には、生分解性材料を主体としたスパンボンド不織布又はメルトブローン不織布であって、繊度が０．１〜３．３ｄｔｅｘの範囲、目付が１５〜４０ｇ／ｍ２の範囲に調整されたシートであって、コルゲート加工を施すことにより得られるミニシートであることが好ましい。
【００６２】
本発明は、陰唇間パッドの体液が流出する箇所と当接する部分において体液吸収能及び体液保持能を高めることにより、体液を広くにじませることがないことを特徴とする陰唇間パッドとして使用することができる。
【図１】
0004939056.tif 000002
【図２】
0004939056.tif 000003
【図３】
0004939056.tif 000004
【図４】
0004939056.tif 000005
【図５】
0004939056.tif 000006
【図６Ａ】
0004939056.tif 000007
【図６Ｂ】
0004939056.tif 000008
【図６Ｃ】
0004939056.tif 000009
【図７】
0004939056.tif 000010
【図８】
0004939056.tif 000011